【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
複数の設定項目が含まれる仮想コンフィグデータを生成する生成手段と、
前記生成手段により生成された前記仮想コンフィグデータの複数の設定項目のうち、リプレイス元の画像処理装置の仮想コンフィグデータに設定するよう設定された設定項目を更新する更新手段と、
前記更新手段で更新された前記仮想コンフィグデータを新規登録する画像処理装置に送信する送信手段と、
を有するサーバ装置。
【請求項２】
前記生成手段は、機器構成データに基づいて、仮想コンフィグデータを生成し、
前記更新手段は、前記生成手段により生成された前記仮想コンフィグデータの複数の設定項目のうち、リプレイス元の画像処理装置の仮想コンフィグデータに設定するよう設定された設定項目を、前記リプレイス元の画像処理装置の仮想コンフィグデータの前記設定項目の内容で上書きすることで、更新する請求項１記載のサーバ装置。
【請求項３】
テナント識別情報と、実機器構成データと、を含む登録要求を受信する受信手段を更に有し、
前記生成手段は、前記受信手段により受信された前記登録要求に含まれる前記テナント識別情報と、前記実機器構成データと、に合致する仮想デバイスを探索し、前記探索した仮想デバイスの仮想機器構成データを前記実機器構成データとすることで前記仮想機器構成データを更新し、更新した前記仮想機器構成データから機種コードを取得し、取得した機種コードに該当する機種別設定値スキーマを取得すると共に、前記テナント識別情報と合致するテナント用コンフィグデータを取得し、前記仮想機器構成データと、前記機種別設定値スキーマと、前記テナント用コンフィグデータと、から仮想コンフィグデータを生成する請求項１又は２記載のサーバ装置。
【請求項４】
新規の画像処理装置を登録する登録画面において、仮識別情報を用いて登録することを示すオブジェクトが選択され、前記仮識別情報を発行することを示すオブジェクトが選択された場合、前記仮識別情報を発行する発行手段を更に有する請求項１乃至３何れか１項記載のサーバ装置。
【請求項５】
新規登録する画像処理装置のリプレイス元の複数の画像処理装置を画面に含めて操作者に選択させる選択画面を表示装置に表示する表示手段と、
前記選択画面において選択された画像処理装置を前記新規登録する画像処理装置のリプレイス元の画像処理装置に設定する設定手段と、
を更に有する請求項１乃至４何れか１項記載のサーバ装置。
【請求項６】
新規登録する画像処理装置から登録要求を受信する受信手段と、
仮識別情報を発行する発行手段と、
前記発行手段により発行された前記仮識別情報で識別される新規登録する画像処理装置のリプレイス元の画像処理装置を設定する設定手段と、
前記仮識別情報と、前記リプレイス元の画像処理装置を識別する識別情報と、を関連付けて記憶装置に記憶する記憶手段と、
を更に有し、
前記設定手段は、前記新規登録する画像処理装置のリプレイス元の複数の画像処理装置を設定し、
前記記憶手段は、前記仮識別情報と、前記リプレイス元の複数の画像処理装置の各々を識別する識別情報と、を関連付けて記憶装置に記憶し、
前記更新手段は、前記受信手段で受信された前記登録要求に前記仮識別情報が含まれていた場合、前記仮識別情報と関連付けられている前記各々の識別情報より前記複数のリプレイス元の画像処理装置を特定し、前記複数のリプレイス元の画像処理装置のローカル優先設定で仮想コンフィグデータを更新する請求項１又は２記載のサーバ装置。
【請求項７】
前記設定手段は、前記新規登録する画像処理装置のリプレイス元の複数の画像処理装置を優先順位と共に設定し、
前記記憶手段は、前記仮識別情報と、前記リプレイス元の複数の画像処理装置の各々を識別する識別情報と、優先順位と、を関連付けて記憶装置に記憶し、
前記更新手段は、前記受信手段で受信された前記登録要求に前記仮識別情報が含まれていた場合、前記仮識別情報と関連付けられている前記各々の識別情報より前記複数のリプレイス元の画像処理装置と、前記複数のリプレイス元の各画像処理装置の優先順位と、を特定し、前記優先順位に基づいて、前記複数のリプレイス元の画像処理装置のローカル優先設定で仮想コンフィグデータを更新する請求項６記載のサーバ装置。
【請求項８】
前記設定手段は、前記新規登録する画像処理装置のリプレイス元の複数の画像処理装置を設定項目毎に設定し、
前記記憶手段は、前記仮識別情報と、前記リプレイス元の複数の画像処理装置の各々を識別する識別情報と、設定項目と、を関連付けて記憶装置に記憶し、
前記更新手段は、前記受信手段で受信された前記登録要求に前記仮識別情報が含まれていた場合、前記仮識別情報と関連付けられている前記各々の識別情報より前記複数のリプレイス元の画像処理装置と、設定項目と、を特定し、前記設定項目に基づいて、前記複数のリプレイス元の画像処理装置のローカル優先設定で仮想コンフィグデータを更新する請求項６記載のサーバ装置。
【請求項９】
サーバ装置と、前記サーバ装置とネットワークを介して通信可能な複数の画像処理装置と、を含むシステムであって、
前記サーバ装置は、
複数の設定項目が含まれる仮想コンフィグデータを生成する生成手段と、
前記生成手段により生成された前記仮想コンフィグデータの複数の設定項目のうち、リプレイス元の画像処理装置の仮想コンフィグデータに設定するよう設定された設定項目を更新する更新手段と、
前記更新手段で更新された前記仮想コンフィグデータを前記システムに含まれる前記画像処理装置に送信する送信手段と、
を有し、
前記画像処理装置は、
前記サーバ装置よりリプレイス元の画像処理装置のローカル優先設定で更新された仮想コンフィグデータを受信する受信手段と、
前記受信手段で受信された前記仮想コンフィグデータを用いて実コンフィグデータを更新する更新手段と、
を有するシステム。
【請求項１０】
サーバ装置が実行する情報処理方法であって、
複数の設定項目が含まれる仮想コンフィグデータを生成する生成ステップと、
前記生成ステップにより生成された前記仮想コンフィグデータの複数の設定項目のうち、リプレイス元の画像処理装置の仮想コンフィグデータに設定するよう設定された設定項目を更新する更新ステップと、
前記更新ステップで更新された前記仮想コンフィグデータを新規登録する画像処理装置に送信する送信ステップと、
を含む情報処理方法。
【請求項１１】
サーバ装置と、画像処理装置と、を含むシステムにおける情報処理方法であって、
前記サーバ装置が、複数の設定項目が含まれる仮想コンフィグデータを生成する生成ステップと、
前記サーバ装置が、前記生成ステップにより生成された前記仮想コンフィグデータの複数の設定項目のうち、リプレイス元の画像処理装置の仮想コンフィグデータに設定するよう設定された設定項目を更新する更新ステップと、
前記サーバ装置が、前記更新ステップで更新された前記仮想コンフィグデータを前記システムに含まれる前記画像処理装置に送信する送信ステップと、
前記画像処理装置が、前記サーバ装置よりリプレイス元の画像処理装置のローカル優先設定で更新された仮想コンフィグデータを受信する受信ステップと、
前記画像処理装置が、前記受信ステップで受信された前記仮想コンフィグデータを用いて実コンフィグデータを更新する更新ステップと、
を含む情報処理方法。
【請求項１２】
コンピュータに、
複数の設定項目が含まれる仮想コンフィグデータを生成する生成ステップと、
前記生成ステップで生成された前記仮想コンフィグデータの複数の設定項目のうち、設定された設定項目を更新する更新ステップと、
前記更新ステップで更新された前記仮想コンフィグデータを新規登録する画像処理装置に送信する送信ステップと、
を実行させるためのプログラム。
【手続補正２】
【補正対象書類名】明細書
【補正対象項目名】発明の名称
【補正方法】変更
【補正の内容】
【発明の名称】サーバ装置、システム、情報処理方法及びプログラム
【手続補正３】
【補正対象書類名】明細書
【補正対象項目名】０００１
【補正方法】変更
【補正の内容】
【０００１】
本発明は、サーバ装置、システム、情報処理方法及びプログラムに関する。
【手続補正４】
【補正対象書類名】明細書
【補正対象項目名】０００７
【補正方法】変更
【補正の内容】
【０００７】
そこで、本発明は、複数の設定項目が含まれる仮想コンフィグデータを生成する生成手段と、前記生成手段により生成された前記仮想コンフィグデータの複数の設定項目のうち、リプレイス元の画像処理装置の仮想コンフィグデータに設定するよう設定された設定項目を更新する更新手段と、前記更新手段で更新された前記仮想コンフィグデータを新規登録する画像処理装置に送信する送信手段と、を有する。